(57)【特許請求の範囲】
【請求項１】
以下の（１）から（７）の成分からなる油中水滴型エマルジョン燃料用乳化剤。
（１）Ａ重油・・・・・・５０ｍｌ以上１００ｍｌ以下
（２）Ｂ重油・・・・・１００ｍｌ以上２００ｍｌ以下
（３）Ｃ重油・・・・・３００ｍｌ以上４５０ｍｌ以下
（４）メタノール・・・１００ｍｌ以上１５０ｍｌ以下
（５）エタノール・・・１００ｍｌ以上２００ｍｌ以下
（６）パーム油・・・・１００ｍｌ以上１５０ｍｌ以下
（７）水・・・・・・・１００ｍｌ以上２００ｍｌ以下
【発明の詳細な説明】
【技術分野】
【０００１】
本発明は、石油燃料（軽質油及び重質油）と水との極めて安定した乳化状態の長期間（２カ年以上）、油と水が再分離しない油中水滴（Ｗ／Ｏ）型エマルジョン燃料を作るための乳化剤の製造方法に関するものである。
【０００２】
また、本発明は石油燃料（軽質油及び重質油共）の燃焼時に発生する大量の有毒ガスやばいじんの発生を大幅に減少させて公害を防止すると共に完全燃焼による燃料効率の改善で省エネルギー効果をはかることを目的とするものである。
【背景技術】
【０００３】
従来のエマルジョン燃料は、乳化剤としてモノエタノールアミン、トリエタノールアミン、オレイン酸、脂肪族スルホン酸塩、アルコール脂肪酸エステル等その他の薬剤が使用されているが、これらの薬剤は高価なため製造コストが高く、またこれらの薬剤を添加混合して製造したエマルジョン燃料は乳化状態が不安定で生成後短時間に油と水が再分離をおこすため、乳化装置を燃焼機器に付設して乳化と同時に燃焼を行わなければならず燃料自体としての貯蔵管理は不可能であり、乳化装置についての燃焼技術や高価な乳化装置等一般中小企業の消費者には経済的なメリットが少ないものが多い。
【発明の概要】
【発明が解決しようとする課題】
【０００４】
本発明は上記のような欠点を抜本的に解決し、均一分散の安定した乳化状態により長期間（２カ年以上）、油と水が再分離しないので純石油燃料と同様に貯蔵管理が出来、油タンクに入れたままで在来の燃焼機器で使用するため、高価な乳化装置や特別な燃焼技術を必要としない。
【課題を解決するための手段】
【０００５】
本発明の油中水滴型エマルジョン燃料用乳化剤は以下の（１）から（７）の成分からなる。
（１）Ａ重油・・・・・・５０ｍｌ以上１００ｍｌ以下
（２）Ｂ重油・・・・・１００ｍｌ以上２００ｍｌ以下
（３）Ｃ重油・・・・・３００ｍｌ以上４５０ｍｌ以下
（４）メタノール・・・１００ｍｌ以上１５０ｍｌ以下
（５）エタノール・・・１００ｍｌ以上２００ｍｌ以下
（６）パーム油・・・・１００ｍｌ以上１５０ｍｌ以下
（７）水・・・・・・・１００ｍｌ以上２００ｍｌ以下
【発明を実施するための形態】
【０００６】
即ち、本発明の乳化剤を作るのに
（１）Ａ重油・・・・・・５０ｍｌ以上１００ｍｌ以下
（２）Ｂ重油・・・・・１００ｍｌ以上２００ｍｌ以下
（３）Ｃ重油・・・・・３００ｍｌ以上４５０ｍｌ以下
（４）メタノール・・・１００ｍｌ以上１５０ｍｌ以下
（５）エタノール・・・１００ｍｌ以上２００ｍｌ以下
（６）パーム油・・・・１００ｍｌ以上１５０ｍｌ以下
（７）水・・・・・・・１００ｍｌ以上２００ｍｌ以下
上記各成分のうち、先に、（１）、（２）、（３）、（４）、の成分を攪拌混合した全容量に、（５）、（６）、（７）の成分を混合溶解させた溶液を加え、高速攪拌機（毎同３０００回転以上）で１０分間攪拌混合して、本発明の乳化剤を製造する。
【０００７】
このようにして製造した乳化剤は超微粒化（０．５ミクロン〜１ミクロン）し、均一分散した乳化状態にあり、この乳化剤を石油燃料と水に添加して攪拌混合すると乳化剤は四散し二次微粒化現象をおこし極微粒子の均一分散の安定したエマルジョン燃料が得られる。
【０００８】
本発明を詳しく述べると、軽質石油燃料（軽油、灯油、Ａ重油）と水の容量比を油９０％〜６５％、水１０〜３５％の比率からなる合計量に本発明の乳化剤を１０００分の１０以上１０００分の３０を添加混合して均一分散の安定した乳化状態の軽質石油エマルジョン燃料を製造し、また重質石油燃料（Ｂ重油、Ｃ重油）と水との容量比を９０％〜６０％、熱水（７０℃以上９０℃）１０％〜４０％の比率からなる合計量に本発明の乳化剤を１０００分の２以上１０００分の１０を添加混合して長期間再分離しない均一分散の乳化状態の安定した重質石油エマルジョン燃料を製造する。
【０００９】
本発明の乳化剤を使用して製造した石油燃料（軽質油及び重質油共）エマルジョン燃料は油中に極微粒子の水が均一に分散し安定した乳化状態であるため燃焼安定性が良く、完全燃焼するので未燃焼分の燃焼や排気ガスのススの消失等燃焼効率の改善向上による省エネルギーがはかれるばかりでなく窒素酸化物やばいじん等有害排気物の発生を大幅に減少させ公害防止の効果が大きい。
【００１０】
また従来の乳化剤に比べて著しく安価であることも経済的に大きなメリットである。
【実施例１】
【００１１】
最後に本発明の乳化剤により製造したＡ重油エマルジョン燃料、Ｂ重油エマルジョン燃料及びＣ重油エマルジョン燃料の燃焼実験を実施したところ、次のような結果を得た。
【００１２】
１  Ａ重油エマルジョン燃料
Ａ重油８ｌ（８０％）水２ｌ（２０％）乳化剤１０００分の５０（Ａ重油＋水の合計量に対して）
乳化剤の成分
Ａ重油          １００ｍｌ
Ｂ重油          １５０ｍｌ
Ｃ重油          ３００ｍｌ
メタノール      １５０ｍｌ
エタノール      １００ｍｌ
パーム油        １００ｍｌ
水              １００ｍｌ
２  Ｂ重油エマルジョン燃料
Ｂ重油１０ｌ（７５．８％）水３．２ｌ（２４．２％）乳化剤１０００分の２５（Ｂ重油＋水の合計量に対して）
乳化剤の成分（上記と同じ）
３  Ｃ重油エマルジョン燃料
Ｃ重油１０ｌ（７５．８％）水３．２ｌ（２４．２％）乳化剤１０００分の２５（Ｃ重油＋水の合計量に対して）
乳化剤の成分（上記１と同じ）
【００１３】
【表１】
0004472013.tif 000002
【００１４】
【表２】
0004472013.tif 000003
【００１５】
上記の表１は、本発明の乳化剤を使用したＡ重油、Ｂ重油、Ｃ重油の各エマルジョン燃料の燃焼時における窒素酸化物及びばいじんの発生量を市販の他のエマルジョン燃料と比較したもので、窒素酸化物はＡ重油エマルジョン燃料が６０％、Ｂ重油エマルジョン燃料が４４％、Ｃ重油エマルジョン燃料が５５％発生量が少なく、またばいじん発生量はＡ重油エマルジョン燃料が５２％、Ｂ重油エマルジョン燃料が９３％、Ｃ重油エマルジョン燃料が７２％発生量が少なく市販の他のエマルジョン燃料と比較して本発明の乳化剤によるエマルジョン燃料の公害防止の効果が如何に大きいかが確認された。
【００１６】
（注）分析方法
（１）窒素酸化物濃度はＪＩＳＫ０１０４
（２）ばいじん濃度はＪＩＳＺ８８６８
【００１７】
上記の表２は、Ｂ重油エマルジョン燃料、Ｃ重油エマルジョン燃料共、風呂屋の温水ボイラーで１週間連続して燃焼して実測した結果であり省エネルギー効果が大きい。
【００１８】
従来からエマルジョン燃料によって各種の効果（省エネルギー排ガス清浄化など）があると言われているがトラブルなく最大の効果を発揮するには優れた安定のエマルジョン燃料を作ることである。本発明の乳化剤を使用することにより極微粒化した均一分散の安定した乳化状態の各油種別エマルジョン燃料が得られ、従来のエマルジョン燃料では不可能であった長期間の貯蔵が出来るようになり、そのため燃焼機器に付設して使用する乳化装置も必要がなく純石油燃料同様に従来の燃焼機器で使用することができるようになった。またエマルジョン燃料の本来の目的である省エネルギー効果と公害防止の効果においても本発明の乳化剤を使用することにより十分に満たすことが出来る。